(57)【要約】      （修正有）【課題】水族槽用空気ポンプ機構の提供。【解決手段】一種の水族槽用ポンプ機構、特に一種の静音とケース体容積を小型化する空気ポンプ機構に関わる。主に空気ポンプＡのケース１内部に一つ以上の空気ポンプ機構２を設け、空気ポンプ機構の送風管２１３２は空気ポンプケース台外側の底面に備える静音気室に連結しておく、空気ポンプ機構より出力する空気は、静音気室内部に備える屈折回路を経て、騒音を有効に軽減し、ケース容積の小型化を実現する。【選択図】図１
0003122510.tif 000002
【実用新案登録請求の範囲】
【請求項１】
中空収容室を備える上蓋を設け、
台を設け、上蓋と噛み合わせてケースを構成し、その内面に一組以上の空気ポンプ機構を設け、一つ以上の孔を設けて、台の外側底面に静音気室を設け、外側底面より引き込んで中空収容室を構成し、その外側に底蓋により被せておく、
中空収容室に複数枚の仕切板を設け、複数の小さい空気室に仕切っておき、隣り合う小さい空気室の間に孔によって導通させ、１本以上の空気を流通する屈折回路を設けて、一つ以上の排気管より排出する一種の水族槽用ポンプ機構。
【請求項２】
空気ポンプ機構は少なくとも一つ以上の空気入力孔と一つ以上の送風管を設け、送風管は台に備える一つの孔を固設することを特徴とする請求項１記載の水族槽用空気ポンプ機構。
【請求項３】
上蓋の内壁に複数のメスネジ山を備える結合棒を設けることを特徴とする請求項１記載の水族槽用空気ポンプ機構。
【請求項４】
一つ以上の調節ツマミを取り付けるため、上蓋に一つ以上の孔台を設けることを特徴とする請求項１記載の水族槽用空気ポンプ機構。
【考案の詳細な説明】
【技術分野】
【０００１】
一種の水族槽用ポンプ機構、特に一種の静音とケース体容積を小型化する空気ポンプ機構により、騒音を有効に軽減し、ケース容積の小型化を実現する。
【背景技術】
【０００２】
通常の水族槽用空気ポンプは、主に水族槽に生息する生物の必要な酸素を供給するため、内部に備える空気ポンプ機構の圧縮により、空気の吸引と排出する働きを果せる。しかし、機械の摩擦音による騒音は、家庭の安寧に影響する。このため、業界はその解決策を模索している。そのうち、特許文献１、特許文献２など(以下、公知技術という)には、静音気室機構として、空気ポンプ機構の片側に若干の大きい容積の空気出力室を設けて、騒音問題の解決を図る。
【０００３】
【特許文献１】台湾特許公告第５１９１９４号明細書
【特許文献２】台湾特許公告第４１６４８８号明細書
【考案の開示】
【考案が解決しようとする課題】
【０００４】
しかしながら、前記の公知技術は騒音の音量を軽減できるものの、以下の欠点を新たに形成される、
（１）空気ポンプ機構に静音気室機構を設けるため、空気ポンプの容積を大幅に大きくなり、該空気ポンプ機構を収容する空気ポンプケースの容積も大きくなる。このため、生産コストも高くなり、製品競争力に大きい影響を与えてしまう、
（２）空気ポンプの容積を大きくすると、水族槽アクセサリのスペースを取るばかりでなく、水族槽全体の美観に影響する、
（３）静音気室機構はポンプ機構の片側に設けるため、ケース内部空間に限られる。静音気室は限られた空間に、静音効果を充分に発揮することができない。利用者を悩ます。
【０００５】
本考案の主な目的は、主に空気ポンプのケース内部に一つ以上の空気ポンプ機構を設け、該空気ポンプ機構の送風管は空気ポンプケース台外側の底面に備える静音気室に連結しておく、空気ポンプ機構より出力する空気は、該静音気室内部に備える屈折回路を経て、騒音を有効に軽減し、ケース容積の小型化を実現する一種の静音とケース体容積を小型化する空気ポンプ機構を提供する。
【課題を解決するための手段】
【０００６】
請求項１の考案は、中空収容室を備える上蓋を設け、
台を設け、上蓋と噛み合わせてケースを構成し、その内面に一組以上の空気ポンプ機構を設け、一つ以上の孔を設けて、台の外側底面に静音気室を設け、外側底面より引き込んで中空収容室を構成し、その外側に底蓋により被せておく、
中空収容室に複数枚の仕切板を設け、複数の小さい空気室に仕切っておき、隣り合う小さい空気室の間に孔によって導通させ、１本以上の空気を流通する屈折回路を設けて、一つ以上の排気管より排出する一種の水族槽用ポンプ機構としている。
請求項２の考案は、空気ポンプ機構は少なくとも一つ以上の空気入力孔と一つ以上の送風管を設け、送風管は台に備える一つの孔を固設することを特徴とする請求項１記載の水族槽用空気ポンプ機構としている。
請求項３の考案は、上蓋の内壁に複数のメスネジ山を備える結合棒を設ける構造を特徴とする請求項１記載の水族槽用空気ポンプ機構としている。
請求項４の考案は、一つ以上の調節ツマミを取り付けるため、上蓋に一つ以上の孔台を設ける構造を特徴とする請求項１記載の水族槽用空気ポンプ機構としている。
【考案の効果】
【０００７】
本考案は水族槽用空気ポンプ機構、主に空気ポンプのケース内部に一つ以上の空気ポンプ機構を設け、該空気ポンプ機構の送風管は空気ポンプケース台外側の底面に備える静音気室に連結しておく、空気ポンプ機構より出力する空気は、該静音気室内部に備える屈折回路を経て、騒音を有効に軽減し、ケース容積の小型化を実現する一種の静音とケース体容積を小型化する空気ポンプ機構を提供する。
【考案を実施するための最良の形態】
【０００８】
図１、２、３、および４に示すとおり、本考案の水族槽用空気ポンプは、ケース１内部に一組以上の空気ポンプ機構２を設ける。そのうち、該ケース１に中空収容室１１０を備えた上蓋１１を設け、その内壁１１１に複数のメスネジ山を備える結合棒１１２、１１３、１１４を設け、中央場所に天板１１５を被せた後に、ボルト１１６は中孔１１５１を通して、結合棒１１４とねじ結合する。
【０００９】
台１２を設け、上蓋１１と噛み合わせて、ケース１を構成する。その上部に複数の結合棒１１２、１１３に対応した通過孔１２１１、１２１２を設けて、複数本のボルト１２２１、１２２２を挿入して締めつける。該台１２２の内面１２０に一つ以上の固定板１２４を設けて、一組以上の空気ポンプ機構２を取り付けて固定する。一つ以上の孔１２３を設け、台１２２外側底面１２５の静音気室１２６に導通する。静音気室１２６は主に、外側底面１２５内部に凹んで中空収容室１２６０を設け、その外側に底蓋１２８で被せる。中空収容室１２６０内部に複数枚の仕切板Ｔを縦横に交差して設け、複数の小さい空気室Ｂ１、Ｂ２、Ｂ３、Ｂ４、Ｂ５を仕切、それぞれに隣り合う小さい空気室Ｂ１、Ｂ２、Ｂ３、Ｂ４、Ｂ５の間は孔Ｃ１、Ｃ２、Ｃ３、Ｃ４でそれぞれに導通し、空気流通するための屈折回路Ｌを構成した上、排気管１２７より排出する。
【００１０】
該空気ポンプ機構２は、空気ポンプ２１と電磁誘導装置２２より構成(公知技術の空気ポンプ機構)する。空気ポンプ２１は磁石を備えるクランク軸２１１により、カップ２１２を圧縮することにより、空気は空気室２１３の空気した後、２１３１に進入し、空気送風管２１３２より排出する。該送風管２１３２にプラグ２１３３を穿設した後、台１２の孔１２３に固定する。
【００１１】
前記した部品構成により、該空気ポンプ２１のクランク軸２１１は電磁誘導装置２２の磁気誘導の吸着働きによりカップ２１２の圧縮と往復運動に連動し、吸気と排気を交互に繰り返して、送風管２１３２より空気を送出し、孔１２３より台１２の外側底面１２５に備える静音気室１２６に流入する。進入した空気は小さい空気室Ｂ１、Ｂ２、Ｂ３、Ｂ４、Ｂ５の順をたどり、その間の孔ＣＬ、Ｃ２、Ｃ３、Ｃ４の導通により、空気流動の屈折回路Ｌを形成し、騒音を抑制して、排気管１２７より排出して、水族槽の必要空気を供給する。
【００１２】
図５、６、７、および８に示すものは、本考案もう一つの実施例である。空気ポンプＡ’のケース３内部に２組の空気ポンプ機構４１、４２を設け、ケース３は上蓋３１と台３２を噛み合わせて構成する。該台３２の内面３２０に２組の空気ポンプ機構４１、４２を固設し、それぞれの空気ポンプ機構４１、４２に送風管４１１、４２１をそれぞれに設け、空気ポンプ機構４１、４２作動するとき、空気をここより排出して、台３２の孔３２１、３２２を介して、台３２外側底面３２５に備える静音気室３２６に流入する。該静音気室３２６は係由該外底側３２５より引き込んで中空収容室３２６０を形成する。中空収容室３２６０内部に二つの空気流動するための屈折回路Ｌ１、Ｌ２を設け、底蓋３２９を被せる。それぞれの屈折回路Ｌ１、Ｌ２内部に空気ポンプ機構４１、４２に対応し、すべての屈折回路Ｌ１、Ｌ２は複数枚の縦横に交差した仕切板Ｔ’でもって、複数の小さい空気室Ｅ１、Ｅ２、Ｅ３、Ｅ４、Ｅ５、Ｅ６、Ｅ７、Ｅ８を仕切り、その間の孔ｆ１、ｆ２、ｆ３、ｆ４、ｆ５、ｆ６を導通させ、空気を二つの排気管３２７、３２８より排出して、水族槽の必要空気を供給する。
【００１３】
前記した本考案のもう一つの実施例において、該空気ポンプＡ’の上蓋３１に一つ以上の孔台３１３、３１４を設け、一つ以上の調節ツマミ３１１、３１２を設けて、空気ポンプ機構４１、４２の空気入力孔４１２、４２２の空気流入量を制御することにより、排出空気量を制御する。
【００１４】
前記の説明により、本考案は空気ポンプ台の外側底面に静音気室を設けることにより、空気ポンプ機構の容積を増やさないままに静音効果を実現し、ケース体積を有効に軽減し、実用上の進歩性が豊富である。
【図面の簡単な説明】
【００１５】
【図１】本考案の立体分解図である。
【図２】本考案の立体図である。
【図３】本考案の組合せ断面図である。
【図４】本考案の外側底面の屈折回路概略図である。
【図５】本考案もう一つの実施例における立体分解図である。
【図６】本考案もう一つの実施例における立体図である。
【図７】本考案もう一つの実施例における立体組合せ断面図である。
【図８】本考案もう一つの実施例における外側底面の屈折回路概略図である。
【符号の説明】
【００１６】
Ａ、Ａ’  空気ポンプ
１、３  ケース
１１、３１  上蓋
１２、３２  台
１１２、１１３、１１４  結合棒
１２０、３２０  内面
１２１１、１２１２  通過孔
１２３、３２１、３２２  孔
１２４  固定板
１２５  外側底面
１２７  排気管
１２８  底蓋
２、４１、４２  空気ポンプ機構
２１  空気ポンプ
２１１  クランク軸
２１２  カップ
２１３  空気室
２１３１、４１２、４２２  空気入力孔
２１３２、４１１、４２１  送風管
２１３３  プラグ
１１５  天板
１１５１  中孔
１１６  ボルト
１１０  中空収容室
１１１  内壁
１２６、３２６  静音気室
２２  電磁誘導装置
Ｔ、Ｔ’  仕切板
１２６０、３２６０  中空収容室
Ｂ１、Ｂ２、Ｂ３、Ｂ４、Ｂ５  小さい空気室
Ｃ１、Ｃ２、Ｃ３、Ｃ４  孔
Ｌ、Ｌ１、Ｌ３  屈折回路
３２９  底蓋
Ｅ１、Ｅ２、Ｅ３、Ｅ４、Ｅ５、Ｅ６、Ｅ７、Ｅ８  小さい空気室
Ｆ１、ｆ２、ｆ３、ｆ４、ｆ５、ｆ６  孔
３２７、３２８  排気管
３１１、３１２  調節ツマミ
３１３、３１４  孔台
【図１】
0003122510.tif 000003
【図２】
0003122510.tif 000004
【図３】
0003122510.tif 000005
【図４】
0003122510.tif 000006
【図５】
0003122510.tif 000007
【図６】
0003122510.tif 000008
【図７】
0003122510.tif 000009
【図８】
0003122510.tif 000010